(57)【特許請求の範囲】
【請求項１】
試合途中において、選手の背番号を前面表示部および後面表示部の両方に表示して選手の交代を当該選手および観客に知らせる選手交代表示装置において、
入場選手および退場選手の背番号を入力する入力手段と、
上記入力手段より入力された入場選手の背番号および退場選手の背番号の組を複数組記憶するメモリー部と、
該メモリー部に記憶された上記複数組のうちいずれかの組を選択する交代切換入力手段と、
該交代切換入力手段にて選択された組の上記入場選手および退場選手の背番号の表示を切り換える表示切換手段とを有する
ことを特徴とする選手交代表示装置。
【請求項２】
上記メモリー部に上記前面表示部および後面表示部の表示をオフとする待機モード部が付加され、該待機モード部は、上記交代切換入力手段にて選択されることを特徴とする請求項１記載の選手交代表示装置。
【請求項３】
上記表示装置は、薄型矩形体であって、左右の辺部をそれぞれ左右の手の親指と他の４本の指の間に挟んで持つことができる厚さを有し、操作者が上記左右の辺部の下方を両手で頭上に掲げて表示動作される表示装置であり、かつ上記矩形体の後面の右下又は左下の領域であって、上記矩形体の左右の辺部下方を手で持ったとき、親指が届く領域に、電源スイッチ、上記入力手段、上記交代切換入力手段および表示切換手段が配置されてなることを特徴とする請求項１または２記載の選手交代表示装置。
【請求項４】
上記表示装置がサッカー競技において試合途中の選手の交代表示に使用されるものであることを特徴とする請求項１、２または３記載の選手交代表示装置。
【発明の詳細な説明】
【０００１】
【発明の属する技術分野】
本発明は、例えばサッカー競技において試合途中に選手が交代するとき、退場する選手と入場する選手を、その背番号を表示することによって選手および観客に知らせる選手交代表示装置（以下、表示装置という）に関する。
【０００２】
【従来の技術】
従来、この種の表示装置にあっては、前面および後面にそれぞれ２桁の数字を表示する表示装置が使用され、退場選手の背番号と入場選手の背番号の２種類の数字が切換スイッチの操作によって、交互に表示されるものが知られている。すなわち表示装置の操作者は、キー操作により、入場選手の背番号をまず入力し、ついで退場選手の背番号を入力した後、サイドライン付近に立って、表示装置を頭上に掲げ持ち、前面および後面の表示部に背番号を交互に表示して、選手交代を知らせるのである。
【０００３】
【発明が解決しようとする課題】
かかる構成の選手交代表示装置にあっては、１組の選手の交代しか表示できないという問題がある。すなわち例えばサッカー競技においては、１試合３人まで選手交代できることがルールで決まっており、２人の選手または３人の選手が同時に交代する可能性がある。このような場合、表示装置では順次速やかに２組または３組の交代選手の背番号を表示しなければならないが、従来の表示装置では１組の選手しか表示できず、２組または３組の選手の同時交代に対応するには、表示装置が２台または３台必要となり、また操作者が１台で選手交代を表示するには、１組目の表示後、２組目の背番号を入力しなければならず、操作に時間がかかり試合が中断されることになり、円滑な試合進行が妨げられるという問題がある。
【０００４】
本発明は、このような問題を解決するためになされたもので、複数組の背番号を入力しておき、複数組の選手交代であってもこれを順次速やかに表示できる選手交代表示装置を提供するものである。
【０００５】
【課題を解決するための手段】
本発明の請求項１にかかわる表示装置は、試合途中において、選手の背番号を前面表示部および後面表示部の両方に表示して選手の交代を当該選手および観客に知らせる選手交代を表示するための装置であって、入場選手および退場選手の背番号を入力する入力手段と、上記入力手段より入力された入場選手の背番号および退場選手の背番号の組を複数組記憶するメモリー部と、該メモリー部に記憶された上記複数組のうちいずれかの組を選択する交代切換入力手段と、該交代切換入力手段にて選択された組の上記入場選手および退場選手の背番号の表示を切り換える表示切換手段とを有するものである。
【０００６】
かかる構成において、操作者は、予め知らされた交代する選手の背番号を入力手段により入力し、メモリー部の記憶させておく。交代選手が複数組あるときは、その選手の背番号を同様にメモリー部に記憶させておく。選手交代を表示するに際しては、先ず最初の組の交代選手を交代切換入力手段の操作にて選択し、表示切換手段の操作により入場選手および退場選手の背番号を前面表示部および後面表示部に順次表示する。同時に２組目の選手交代があるときは、続いて交代切換入力手段が操作され、２組目の選手の背番号が選択され、表示切換手段の操作により、交代する選手の背番号が順次表示される。さらに別の組の選手交代がある場合にも同様の操作で表示される。
【０００７】
また、本発明の請求項２にかかわる表示装置においては、上記メモリー部に上記前面表示部および後面表示部の表示をオフとする待機モード部が付加され、該待機モード部は、上記交代切換入力手段にて選択されるものである。かかる構成において、待機モードが選択されたときは、メモリー部の内容を保持しつつ、前面および後面表示部の表示のみオフとし、消費電力は少なくなる。
【０００８】
また本発明の請求項３にかかわる表示装置は、薄型矩形体であって、左右の辺部をそれぞれ左右の手の親指とほかの４本の指の間に挟んで持つことができる厚さを有し、操作者が上記左右の辺部の下方を両手で頭上に掲げて表示動作される表示装置であり、かつ上記矩形体の後面の右下または左下の領域であって、上記矩形体の左右の辺部下方を手で持ったとき、親指が届く領域に、電源スイッチ、上記入力手段、上記交代切換入力手段および表示切換手段が配置されてなるものである。かかる構成において、操作者は、表示装置を頭上に掲げ持つことができるよう両手で持った状態で、親指で電源スイッチ、入力手段、交代切換入力手段および表示切換手段を操作し、表示に際しては、そのまま装置を頭上に掲げ、その状態で上記交代切換入力手段および表示切換手段を操作して、選手交代が表示される。
【０００９】
また本発明の請求項４にかかわる表示装置は、サッカー競技において試合途中の選手の交代表示に使用されるものである。表示装置の操作者は、予め交代する選手の各背番号を入力しておき、交代時サイドライン付近に立って、表示装置を頭上に掲げ、前面表示部にて選手に対する交代表示を行い、後面表示部にて観客に対し、選手交代を知らせる。複数組の選手交代がなされる場合には、順番に各組の退場選手および入場選手の背番号が表示される。
【００１０】
【発明の実施の形態】
図１〜３において、１は薄型矩形体形状の表示装置で、サッカー競技に使用されるものである。２、３は、それぞれ２桁の数字を表示する前面表示部および後面表示部を示している。
【００１１】
本実施の形態の場合に操作部は、装置１の後面において後面表示部３の下方右隅領域に配置される、電源スイッチ５、選手交代時の入場選手および退場選手の背番号を入力する入力手段、交代選手が複数ある場合にそのいずれかの組を選択する交代切換入力手段、１組の交代選手のうち、退場選手と入場選手の背番号を切換表示する表示切換手段から構成される。
【００１２】
ここで背番号を入力する際にアップカウントで行う「＋１」キー６およびダウンカウントで行う「−１」キー７よりなる入力手段と、交代切換入力手段である交代切換キー８とは背番号入力／交代切換部４に配列される。表示切換手段は「イン／アウト」キー９よりなる。ここで電源スイッチ５および「イン／アウト」キー９は、上下２値の切換がなされるロッカースイッチが、また「＋１」キー６、「−１」キー７および交代切換キー８はメンブレン構造のキーが使用される（図１の（ｂ）参照）。
【００１３】
図３において、１０はアルミ等の金属製または合成樹脂製のフレーム、１１、１２は、このフレーム１０にはめ込まれたそれぞれ前面表示部２および後面表示部３の表示板で、それぞれ赤色アクリル透明板が使用できる。この表示板１１、１２の裏面には、日字型のセグメント領域Ａ、Ｂ、‥‥‥Ｇを除く領域に、遮光層１３、１４を形成することができる。この遮光層１３、１４は、表示の輪郭を鮮明なものにする作用をなすが、必ずしも必要ではなく、省略することができる。１５、１６は２種の基板で、それぞれ前面表示部２および後面表示部３に対応して配置され、各表示板１１、１２に対し、所定間隔を隔てて平行に配置されている。各基板１５、１６上には、それぞれ前面表示部２および後面表示部３にて表示を行うべく、複数の赤色ＬＥＤが各セグメント領域Ａ、Ｂ、‥‥‥Ｇに配列されている。これらの２種の基板１５、１６を１種類とし、その両面に前面表示部２および後面表示部３を表示するＬＥＤを配列することも可能である。１セグメント領域あたりのＬＥＤの数は、例えば１４個であり、長手方向に２列に配列されている。１７は基板１５、１６を装置内に固定する固定具、１８は電源となる２次電池であり、装置１内に収納されている。この電池１８は装置１から取り外し可能であり、かつ収納した状態で充電できる構造とされている。
【００１４】
上記表示装置１の大きさの一例をあげると、縦４２ｃｍ、横４１ｃｍ、厚さ５ｃｍの薄型矩形体形状であって、重量は約３ｋｇとすることができる。図４に示すように、かかる大きさ、重量であれば操作者が、表示装置の左右の辺部下方をそれぞれ左右の手１９で、親指と他の４本の指の間に挟んで持ち、頭上へ掲げることができる。なお、表示装置１には、手で持ったとき、確実に保持できるよう、後面表示部３の例えば左下の隅部および前面表示部２の左右の下方隅部に、滑り止め部材とにフレーム１０の表面から僅かに突出したゴムパッド２０を取りつけることができる。後面表示部３においては親指が、また前面表示部２においては他の指が接触し、滑り止めの作用をなすのである。
【００１５】
ここで操作部は、後面表示部３の下方であって、矩形体の右下（左下でも構わないが、右利きの人が多いことを考慮すると右下の方が好ましい）の領域であって、上記のごとく左右の手１９（図４）で掲げ持った状態で、親指が届く領域に配置される。
【００１６】
つぎに駆動回路部について説明する。図５において、２１は４つのメモリー領域Ｍｉ、Ｍii、Ｍiii、Ｍivを有するメモリー部で、メモリー領域Ｍｉ、Ｍii、Ｍiiiには、それぞれ２種類の２桁の数値が記憶される。２種類の数値は、入場選手の背番号および退場選手の背番号に対応し、「＋１」キー６、「−１」キー７の操作により任意の数値に設定される。メモリー領域Ｍｉ、Ｍii、Ｍiii、Ｍivの選択は、交代切換キー８の操作によってなされ、１回操作されるごとに、Ｍｉ→Ｍii→Ｍiii→Ｍiv→Ｍｉ‥‥‥と順次選択される。選択されたメモリー領域Ｍｉ、Ｍii、Ｍiiiのいずれかにおいて、イン（入場選手）またはアウト（退場選手）の表示切換は、「イン／アウト」キー９の操作およびこれに伴って表示切換信号を出力するイン／アウトセレクタ２２によってなされる。上記のごとく、メモリー領域Ｍｉ、Ｍii、Ｍiiiには、それぞれ１組づつの交代選手の背番号が記憶される。またメモリー領域Ｍivは、待機モード部であり、この領域が選択されたときは、前面表示部２および後面表示部３の表示がオフとされ、表示待機状態となる。このモードを設けたのは、表示不要の間は、表示のみオフとして電力消費を抑制するためである。
【００１７】
メモリー部２１の各メモリー領域Ｍｉ、Ｍii、Ｍiii、Ｍivからの信号は、次段のデコーダ２３に入力し７個のセグメント信号ａ、ｂ、‥‥‥、ｇに変換されて、ドライバ２４に入力される。なお、メモリ領域Ｍivが選択されたときは、イン、アウトともにセグメント信号は、すべて“Ｌ”（ｌｏｗ）となる。ドライバ２４から出力されるセグメント信号ａ、ｂ、‥‥‥、ｇは前面表示部２および後面表示部３の各桁のセグメント領域Ａ、Ｂ、‥‥‥Ｇに配置されたＬＥＤに加えられる。デコーダ２３からは、さらに４個の桁信号Ｄ１、‥‥‥Ｄ４が順次出力され、ドライバ２５を介して、前面表示部２のＬ２およびＭ２（図２参照）および後面表示部３のＬ３およびＭ３（図１の（ａ）参照）に桁選択信号として入力される。桁信号Ｄ１、Ｄ２は、前面表示部２の「１０」「１」の位に、また桁信号Ｄ３、Ｄ４は、後面表示部３のＬ３（「１０」の位）およびＭ３（「１」の位）に対応する。ｍ１、‥‥‥ｍ４は、メモリー領域Ｍｉ、Ｍii、Ｍiii、Ｍivの対応する４個のＬＥＤで、操作部に配列され、選択された領域に対応するＬＥＤが点灯し、操作者にどのメモリー領域が選択されているかを知らせる。ｍ０は、電源電池１８の残量電圧が低下したとき、これが電圧検知回路２６にて検知されて、点滅表示する電池残量表示用ＬＥＤであり、操作部に配置される。
【００１８】
図６、７において、各桁のセグメント領域Ａ‥‥‥Ｇには、ドライバ２４からセグメント信号ａ、ｂ、‥‥‥、ｇが、またドライバ２５から桁信号Ｄ１、‥‥‥Ｄ４がインバータＩＮＶを介して加えられ、両信号が存在するとき、その交点に位置するセグメント領域Ａ、Ｂ、‥‥‥Ｇが点灯する。なお図６中セグメント領域Ａ、Ｂ、‥‥‥Ｇは、それぞれ１個のＬＥＤにて示すが、実際には、例えば１４個のＬＥＤ群から構成されている。図７に示すセグメント信号ａ、ｂ、‥‥‥ｇは、一例として数値「１２」を表示した場合の信号波形である。このようにして数値は、１／４デューティでダイナミック駆動表示される。
【００１９】
つぎに上記構成の表示装置１の動作につき説明する。なお下記の例は、２組の選手を同時に交代させる場合である。
【００２０】
（ａ）  電源スイッチ５をオンとする。この初期状態にあっては、メモリー部２１の内容はゼロであり、かつそのメモリー領域Ｍivが選択されている。したがってＬＥＤｍ４が点灯し、前面および後面表示部２、３は消灯したままである。
【００２１】
（ｂ）  交代切換キー８を１回押す。メモリー部２１は、その選択領域がメモリー領域Ｍｉに切り換わり、ＬＥＤｍ４が消え、ＬＥＤｍ１が点灯する。このとき前面および後面表示部２、３は点灯し、表示は「０」である。
【００２２】
（ｃ）  「イン／アウト」キー９を、「イン」側とする。これにより、メモリー領域Ｍｉのイン（入場選手）領域が選択される。
【００２３】
（ｄ）  「＋１」キー６および「−１」キー７を、操作して、入場選手の背番号、例えば数値「１２」を入力する。前面および後面表示部２、３には、この数値「１２」が表示される。
【００２４】
（ｆ）  「イン／アウト」キー９を、「アウト」側に切り換える。これにより、メモリー領域Ｍｉのアウト（退場選手）領域が選択され、表示は「０」となる。
【００２５】
（ｇ）  「＋１」キー６および「−１」キー７を操作して、退場選手の背番号、例えば数値「７」を入力する。前面および後面表示部２、３には、この数値「７」が表示される。かくして、１組の交代選手の背番号の入力が終了する。
【００２６】
（ｈ）  続いて２組目の選手交代の入力を行う。交代切換キー８を押して、メモリー領域Ｍiiを選択する。これによりＬＥＤｍ２が点灯し、表示は「０」となる。その後上記（ｃ）、（ｄ）、（ｅ）、（ｆ）、（ｇ）の操作を行う。これにより、２組目の交代選手の背番号の入力が終了する。
【００２７】
（ｉ）  上記の背番号入力は、操作者が、選手交代が知らされたとき、予め入力操作しておき、待機モードとして表示を消しておく。交代時、その表示に際しては、操作者は、交代切換キー８を押して、メモリー領域Ｍｉに切り換え、「イン／アウト」キー９を「アウト」側として、退場選手の背番号を前面および後面表示部２、３に表示し、表示装置１を両手で持って頭上に掲げて、退場選手を選手および観客に知らせる。なお選手交代に際しては、退場選手が先に表示されるのが原則である。
【００２８】
（ｊ）  ついで、「イン／アウト」キー９を「イン」側に切り換えて、入場選手の背番号を表示する。この操作は、操作者が実際の交代選手の退場、入場勤作を見ながら行う。これにより１組目の選手交代の表示が終了する。
【００２９】
（ｋ）  つぎに、２組目の選手交代の表示を行う。まず、「イン／アウト」キー９を「アウト」側に切り換えて、その後すばやく交代切換キー８を押す。かくすると２組目の退場選手の背番号が表示される。このとき「イン／アウト」キー９および交代切換キー８は、図１の（ｂ）に示すごとく隣接しており、かつその操作は、右手親指のみの動きによってなされるから、その操作は迅速になすことができる。
【００３０】
（ｌ）  続いて再度親指にて「イン／アウト」キー９を切り換え、「イン」すなわち入場選手の背番号が表示される。このようにして、２組の選手交代の表示がなされる。
【００３１】
なお３組同時に選手交代する場合には、（ｈ）の操作後、交代切換キー８を押してメモリー領域Ｍiiiを選択し、上記（ｃ）、（ｄ）、（ｅ）、（ｆ）、（ｇ）の操作を行って、３組目の交代選手の背番号を入力しておき、上記（ｌ）の操作後、再び上記（ｋ）の操作を行う。
【００３２】
上記説明においては、サッカー競技の選手交代表示装置について述べ、そのルール上交代は３選手までであることから、交代用のメモリー領域は３領域としたが、これに限らず、ほかの競技においても選手交代の表示に使用することができ、メモリー領域数も、交代選手の数に応じて、任意に設定することができる。
【００３３】
【発明の効果】
本発明の請求項１によれば、１台の表示装置により、複数組の選手交代を順次表示することができ、選手および観客にその選手交代を速やかに知らせることができる。それ故、複数の選手が同時に交代する場合であっても、試合中断時間は最小限にすますことができ、試合進行が妨げられることはない。
【００３４】
また本発明の請求項２によれば、表示待機中、すなわち操作者に交代選手が知らされて、その背番号の入力をすませ、交代時期を待っている間は、表示をオフとしておくことにより、電池電源の消耗を防ぐことができる。
【００３５】
さらに本発明の請求項３によれば、表示装置を両手で持ち頭上に掲げた状態で、右手（または左手）の親指で、交代切換手段、表示切換手段を操作することができるから、表示装置を掲げた状態で、かつ持った手を移動させることなく、すばやく交代組の表示切換、退場選手および入場選手の表示切換操作をすることができる。
【００３６】
さらにまた本発明の請求項４によれば、３人の選手交代が許されるサッカー競技において、１人、２人または３人の選手が同時に交代する場合に、その退場選手および入場選手の背番号を順次、表示することができるから、サッカー競技のための選手交代表示装置として有効である。
【図面の簡単な説明】
【図１】（ａ）は本発明実施の形態に係る選手交代表示装置の背面（後面）図であり、（ｂ）は（ａ）の部分拡大図である。
【図２】本発明実施の形態に係る選手交代表示装置の正面（前面）図である。
【図３】図１のIII−III線断面図である。
【図４】表示装置を手で持った状態を示す正面図である。
【図５】駆動回路図である。
【図６】表示部を示す回路図である。
【図７】上記回路図の動作を説明するための信号波形図である。
【符号の説明】
１  選手交代表示装置
２  前面表示部
３  後面表示部
５  電源スイッチ
６  「＋１」キー
７  「−１」キー
８  交代切換キー
９  「イン／アウト」キー
１０  フレーム
１１、１２  表示板
１３、１４  遮光層
１５、１６  基板
１８  電池
２０  ゴムパッド
２１  メモリー部
２２  イン／アウトセレクタ
２３  デコーダ
２４、２５  ドライバ
２６  電圧検知回路
【図１】
0003698903.tif 000002
【図２】
0003698903.tif 000003
【図３】
0003698903.tif 000004
【図４】
0003698903.tif 000005
【図５】
0003698903.tif 000006
【図６】
0003698903.tif 000007
【図７】
0003698903.tif 000008